【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
共通の給電対象（６０）に対して並列に接続された第１電力変換装置（１０ａ）及び第２電力変換装置（１０ｂ）を備える電力変換システムに適用され、
前記第２電力変換装置は、第１負荷領域において電力変換効率が最大となり、
前記第１電力変換装置は、前記第１負荷領域よりも大きい第２負荷領域において電力変換効率が最大となり、
前記給電対象に供給すべき電流又は電力のいずれかである負荷出力を取得する負荷出力取得部（Ｓ１２）と、
前記負荷出力が、前記第１負荷領域、前記第２負荷領域、及び前記第２負荷領域よりも大きい第３負荷領域のいずれに含まれるかを判定する負荷判定部（Ｓ１３，Ｓ１５）と、
前記負荷出力が前記第１負荷領域に含まれていると判定された場合に前記第２電力変換装置のみを動作させ、前記負荷出力が前記第２負荷領域に含まれていると判定された場合に前記第１電力変換装置のみを動作させ、前記負荷出力が前記第３負荷領域に含まれていると判定された場合に前記第１電力変換装置及び前記第２電力変換装置を共に動作させる動作制御部（Ｓ１４，Ｓ１６，Ｓ１７）と、を備え、
前記第１電力変換装置の出力電圧を第１出力電圧として取得する第１電圧取得部（Ｓ１０）と、
前記第２電力変換装置の出力電圧を第２出力電圧として取得する第２電圧取得部（Ｓ１１）と、
第１電圧指令値に前記第１出力電圧をフィードバック制御するための操作量として、前記第１電力変換装置の出力電流の目標値である第１目標電流値を算出する第１目標電流算出部（３１ａ）と、
第２電圧指令値に前記第２出力電圧をフィードバック制御するための操作量として、前記第２電力変換装置の出力電流の目標値である第２目標電流値を算出する第２目標電流算出部（３１ｂ）と、
前記第１目標電流値が第１所定値以下となる場合に前記第１電力変換装置の動作を停止させ、前記第２目標電流値が第２所定値以下となる場合に前記第２電力変換装置の動作を停止させる停止制御部（３５ａ，３６ａ）と、を備え、
前記第１目標電流算出部は、前記第１電圧指令値と前記第１出力電圧との偏差に基づく比例制御及び積分制御の少なくとも一方を含むフィードバック制御により、前記第１目標電流値を算出し、
前記第２目標電流算出部は、前記第２電圧指令値と前記第２出力電圧との偏差に基づく比例制御及び積分制御の少なくとも一方を含むフィードバック制御により、前記第２目標電流値を算出し、
前記動作制御部は、前記負荷出力が前記第１負荷領域に含まれていると判定された場合に前記第１電圧指令値を前記第２電圧指令値よりも低い値に設定することで前記第２電力変換装置のみを動作させ、前記負荷出力が前記第２負荷領域に含まれていると判定された場合に前記第２電圧指令値を前記第１電圧指令値よりも低い値に設定することで前記第１電力変換装置のみを動作させる電力変換システムの制御装置。
【請求項２】
前記動作制御部は、前記負荷出力が前記第３負荷領域に含まれていると判定された場合に、前記第２電力変換装置の出力電圧が第２電圧指令値になるように前記第２電力変換装置を動作させ、かつ前記第１電力変換装置の出力電流が前記第１電力変換装置の出力定格値となるように前記第１電力変換装置を動作させる、請求項１に記載の電力変換システムの制御装置。
【請求項３】
前記第１電力変換装置の出力電圧を第１出力電圧として取得する第１電圧取得部（Ｓ１０）と、
前記第２電力変換装置の出力電圧を第２出力電圧として取得する第２電圧取得部（Ｓ１１）と、
第１電圧指令値に前記第１出力電圧をフィードバック制御するための操作量として、前記第１電力変換装置の出力電流の目標値である第１目標電流値を算出する第１目標電流算出部（３１ａ）と、
前記第２電圧指令値に前記第２出力電圧をフィードバック制御するための操作量として、前記第２電力変換装置の出力電流の目標値である第２目標電流値を算出する第２目標電流算出部（３１ｂ）と、
前記第２目標電流値が前記第２電力変換装置の出力定格値を超える場合に、前記第２電力変換装置の前記操作量を前記第２電力変換装置の出力定格値とする電流値変更部（３３ｂ）と、を備え、
前記動作制御部は、前記負荷出力が前記第３負荷領域に含まれていると判定された場合は、前記第２電圧指令値を前記第１電圧指令値よりも大きくすることで、前記第２電力変換装置の出力電流が前記第２電力変換装置の出力定格値となるように前記第２電力変換装置を動作させる、請求項２に記載の電力変換システムの制御装置。
【請求項４】
共通の給電対象（６０）に対して並列に接続された第１電力変換装置（１０ａ）及び第２電力変換装置（１０ｂ）を備える電力変換システムに適用され、
前記第２電力変換装置は、第１負荷領域において電力変換効率が最大となり、
前記第１電力変換装置は、前記第１負荷領域よりも大きい第２負荷領域において電力変換効率が最大となり、
前記給電対象に供給すべき電流又は電力のいずれかである負荷出力を取得する負荷出力取得部（Ｓ１２）と、
前記負荷出力が、前記第１負荷領域、前記第２負荷領域、及び前記第２負荷領域よりも大きい第３負荷領域のいずれに含まれるかを判定する負荷判定部（Ｓ１３，Ｓ１５）と、
前記負荷出力が前記第１負荷領域に含まれていると判定された場合に前記第２電力変換装置のみを動作させ、前記負荷出力が前記第２負荷領域に含まれていると判定された場合に前記第１電力変換装置のみを動作させ、前記負荷出力が前記第３負荷領域に含まれていると判定された場合に前記第１電力変換装置及び前記第２電力変換装置を共に動作させる動作制御部（Ｓ１４，Ｓ１６，Ｓ１７）と、を備え、
前記動作制御部は、前記負荷出力が前記第３負荷領域に含まれていると判定された場合に、前記第２電力変換装置の出力電圧が第２電圧指令値になるように前記第２電力変換装置を動作させ、かつ前記第１電力変換装置の出力電流が前記第１電力変換装置の出力定格値となるように前記第１電力変換装置を動作させ、
前記第１電力変換装置の出力電圧を第１出力電圧として取得する第１電圧取得部（Ｓ１０）と、
前記第２電力変換装置の出力電圧を第２出力電圧として取得する第２電圧取得部（Ｓ１１）と、
第１電圧指令値に前記第１出力電圧をフィードバック制御するための操作量として、前記第１電力変換装置の出力電流の目標値である第１目標電流値を算出する第１目標電流算出部（３１ａ）と、
前記第２電圧指令値に前記第２出力電圧をフィードバック制御するための操作量として、前記第２電力変換装置の出力電流の目標値である第２目標電流値を算出する第２目標電流算出部（３１ｂ）と、
前記第２目標電流値が前記第２電力変換装置の出力定格値を超える場合に、前記第２電力変換装置の前記操作量を前記第２電力変換装置の出力定格値とする電流値変更部（３３ｂ）と、を備え、
前記動作制御部は、前記負荷出力が前記第３負荷領域に含まれていると判定された場合は、前記第２電圧指令値を前記第１電圧指令値よりも大きくすることで、前記第２電力変換装置の出力電流が前記第２電力変換装置の出力定格値となるように前記第２電力変換装置を動作させる電力変換システムの制御装置。
【請求項５】
前記負荷出力は負荷電流であり、
前記動作制御部は、前記負荷出力が前記第２負荷領域よりも高い値であり、かつ前記負荷出力が前記第２電力変換装置の定格電流を２倍した値以下である場合に、前記第１電力変換装置及び前記第２電力変換装置に出力電流を均等化して出力するよう動作させる、請求項１〜４のいずれか一項に記載の電力変換システムの制御装置。
【請求項６】
共通の給電対象（６０）に対して並列に接続された第１電力変換装置（１０ａ）及び第２電力変換装置（１０ｂ）を備える電力変換システムに適用され、
前記第２電力変換装置は、第１負荷領域において電力変換効率が最大となり、
前記第１電力変換装置は、前記第１負荷領域よりも大きい第２負荷領域において電力変換効率が最大となり、
前記給電対象に供給すべき電流又は電力のいずれかである負荷出力を取得する負荷出力取得部（Ｓ１２）と、
前記負荷出力が、前記第１負荷領域、前記第２負荷領域、及び前記第２負荷領域よりも大きい第３負荷領域のいずれに含まれるかを判定する負荷判定部（Ｓ１３，Ｓ１５）と、
前記負荷出力が前記第１負荷領域に含まれていると判定された場合に前記第２電力変換装置のみを動作させ、前記負荷出力が前記第２負荷領域に含まれていると判定された場合に前記第１電力変換装置のみを動作させ、前記負荷出力が前記第３負荷領域に含まれていると判定された場合に前記第１電力変換装置及び前記第２電力変換装置を共に動作させる動作制御部（Ｓ１４，Ｓ１６，Ｓ１７）と、を備え、
前記負荷出力は負荷電流であり、
前記動作制御部は、前記負荷出力が前記第２負荷領域よりも高い値であり、かつ前記負荷出力が前記第２電力変換装置の定格電流を２倍した値以下である場合に、前記第１電力変換装置及び前記第２電力変換装置に出力電流を均等化して出力するよう動作させる電力変換システムの制御装置。
【請求項７】
前記負荷判定部は、前記負荷出力が前記第２電力変換装置の出力定格値以下の値である場合に前記負荷出力が前記第１負荷領域に含まれていると判定する、請求項１〜６のいずれか一項に記載の電力変換システムの制御装置。
【請求項８】
前記第１電力変換装置の出力定格値が、前記第２電力変換装置の出力定格値よりも大きく設定されており、
前記負荷判定部は、前記負荷出力が前記第２電力変換装置の出力定格値以上の値であって、かつ前記第１電力変換装置の出力定格値以下の値である場合に前記負荷出力が前記第２負荷領域に含まれていると判定する、請求項１〜７のいずれか一項に記載の電力変換システムの制御装置。